(57)【要約】【課題】アンテナ特性の劣化を軽減する携帯端末および携帯電話を提供する。【解決手段】ケース外形の二つの短かい端面の内一つの端面側に取付けられた第１のアンテナ５０と、二つの短かい端面の内他の端面側に取付けられた第２のアンテナ６０とを内蔵してなることを特徴とする。【選択図】　図３
2004120052.tif 000002
【特許請求の範囲】
【請求項１】
ケース外形の二つの短かい端面の内一つの端面側に取付けられた第１のアンテナと、前記二つの短かい端面の内他の端面側に取付けられた第２のアンテナとを内蔵してなることを特徴とする携帯端末。
【請求項２】
レシーバ部および液晶表示部を有する上ケースと、キー操作部及びマイク部を有する下ケースと、前記上ケースと前記下ケースをそれぞれ端部で折畳可能に結合のヒンジ部を備えた携帯電話において、前記ヒンジ部近傍に取付けられた第１のアンテナと、前記マイク部近傍に取付けられた第２のアンテナとを内蔵してなることを特徴とする携帯電話。
【請求項３】
請求項１または２記載において、前記第１のアンテナは、ホイップアンテナと該ホイップアンテナの先端に絶縁スペーサを介して結合の、ヘリカルアンテナを内蔵のアンテナトップ部を有し、前記第２のアンテナは、表面実装型アンテナであることを特徴とする携帯端末または携帯電話。
【請求項４】
請求項１，２または３記載において、前記第１のアンテナと前記第２のアンテナは、その延長線が交差するような位置に取付けられていることを特徴とする携帯端末または携帯電話。
【請求項５】
請求項１，２または３記載において、前記第１のアンテナで受信した信号と、前記第２のアンテナで受信した信号との間の位相を同相に調整する位相調整回路を備えたことを特徴とする携帯端末または携帯電話。
【請求項６】
請求項１，２または３記載において、前記第１のアンテナで受信した信号と、前記第２のアンテナで受信した信号とを結合部を介して無線回路に接続し、前記結合部において、前記第２のアンテナで受信した信号をそのまま前記無線回路に伝送し、前記第１のアンテナで受信した信号を対をなすランドを介して前記無線回路に伝送し、前記対をなすランドにて前記第１のアンテナで受信した信号の前記無線回路との結合を弱めたことを特徴とする携帯端末または携帯電話。
【請求項７】
請求項１，２または３記載において、前記第１のアンテナと前記第２のアンテナは、その延長線が交差するような位置に取付けられ、且つ前記第１のアンテナで受信した信号と、前記第２のアンテナで受信した信号との間の位相を同相に調整する位相調整回路を備えたことを特徴とする携帯端末または携帯電話。
【請求項８】
請求項１，２または３記載において、前記第１のアンテナと前記第２のアンテナは、その延長線が交差するような位置に取付けられ、且つ前記第１のアンテナで受信した信号と、前記第２のアンテナで受信した信号とを結合部を介して無線回路に接続し、前記結合部において、前記第２のアンテナで受信した信号をそのまま前記無線回路に伝送し、前記第１のアンテナで受信した信号を対をなすランドを介して前記無線回路に伝送し、前記対をなすランドにて前記第１のアンテナで受信した信号の前記無線回路との結合を弱めたことを特徴とする携帯端末または携帯電話。
【請求項９】
請求項１，２または３記載において、前記第１のアンテナで受信した信号と、前記第２のアンテナで受信した信号との間の位相を位相調整回路で同相に調整し、位相調整した二つの信号を結合部を介して無線回路に接続し、前記結合部において、前記第２のアンテナで受信した信号をそのまま前記無線回路に伝送し、前記第１のアンテナで受信した信号を対をなすランドを介して前記無線回路に伝送し、前記対をなすランドにて前記第１のアンテナで受信した信号の前記無線回路との結合を弱めたことを特徴とする携帯端末または携帯電話。
【請求項１０】
請求項１，２または３記載において、前記第１のアンテナと前記第２のアンテナは、その延長線が交差するような位置に取付けられ、且つ前記第１のアンテナで受信した信号と、前記第２のアンテナで受信した信号との間の位相を位相調整回路で同相に調整し、位相調整した二つの信号を結合部を介して無線回路に接続し、前記結合部において、前記第２のアンテナで受信した信号をそのまま前記無線回路に伝送し、前記第１のアンテナで受信した信号を対をなすランドを介して前記無線回路に伝送し、前記対をなすランドにて前記第１のアンテナで受信した信号の前記無線回路との結合を弱めたことを特徴とする携帯端末または携帯電話。
【発明の詳細な説明】
【０００１】
【発明の属する技術分野】
本発明は、電話帯の電波を受信するアンテナを有する携帯端末および携帯電話に関する。
【０００２】
【従来の技術】
従来の携帯電話においては、ホイップアンテナとホイップアンテナの先端に絶縁スペーサを介して結合の、ヘリカルアンテナを内蔵のアンテナトップ部からなる線状アンテナが、ケース内に取付けられ、アンテナトップ部を引っ張るとホイップアンテナがケースの外に引き出され、ホイップアンテナで電話帯の電波を受信し、アンテナトップ部を引っ込めるとホイップアンテナはケースの内部に移動して収納され、このときヘリカルアンテナで電話帯の電波を受信するようになっている。
【０００３】
この線状アンテナで電話帯の電波を受信し必要なアンテナ特性を得るために、線状アンテナの外形、すなわちアンテナトップ部の大きさおよびホイップアンテナの太さと長さが大きくなり、ケース全体をさらに小型とする際に支障となってきた。
【０００４】
それに対して、線状アンテナと表面実装型アンテナを隣接配置し、線状アンテナを、面実装型アンテナの給電電極に供給された電力によって励振する技術が開示されている（例えば、特許文献１参照。）。
【０００５】
この技術は、２つのアンテナを同時に使用するので、構成が簡単で、しかもアンテナ特性の向上を図ることができる。
【０００６】
また、その結果、線状アンテナとしては、従来の線状アンテナに比べより小型のアンテナですませることもできる。
【０００７】
【特許文献１】
特開２００１−３６３１７号公報（第１−２頁、図１）
【０００８】
【発明が解決しようとする課題】
しかしながら、線状アンテナと表面実装型アンテナを隣接配置してなるので、線状アンテナを縮めてケース内部に収納した際には、線状アンテナのアンテナトップ部と表面実装型アンテナを覆うケース部分の両方が、人の手などで覆われてしまう可能性があり、覆われてしまうと、そのためにアンテナ特性が劣化してしまうという課題がある。
【０００９】
本発明の目的は、アンテナ特性の劣化を軽減する携帯端末および携帯電話を提供することにある。
【００１０】
【課題を解決するための手段】
本発明は、ケース外形の二つの短かい端面の内一つの端面側に取付けられた第１のアンテナと、前記二つの短かい端面の内他の端面側に取付けられた第２のアンテナとを内蔵してなることを特徴とする携帯端末である。
【００１１】
本発明は、レシーバ部および液晶表示部を有する上ケースと、キー操作部及びマイク部を有する下ケースと、前記上ケースと前記下ケースをそれぞれ端部で折畳可能に結合のヒンジ部を備えた携帯電話において、前記ヒンジ部近傍に取付けられた第１のアンテナと、前記マイク部近傍に取付けられた第２のアンテナとを内蔵してなることを特徴とする携帯電話である。
【００１２】
本発明は、上記記載において、前記第１のアンテナは、ホイップアンテナと該ホイップアンテナの先端に絶縁スペーサを介して結合の、ヘリカルアンテナを内蔵のアンテナトップ部を有し、前記第２のアンテナは、表面実装型アンテナであることを特徴とする携帯端末または携帯電話である。
【００１３】
本発明は、上記記載において、前記第１のアンテナと前記第２のアンテナは、その延長線が交差するような位置に取付けられていることを特徴とする携帯端末または携帯電話である。
【００１４】
本発明は、上記記載において、前記第１のアンテナで受信した信号と、前記第２のアンテナで受信した信号との間の位相を同相に調整する位相調整回路を備えたことを特徴とする携帯端末または携帯電話である。
【００１５】
本発明は、上記記載において、前記第１のアンテナで受信した信号と、前記第２のアンテナで受信した信号とを結合部を介して無線回路に接続し、前記結合部において、前記第２のアンテナで受信した信号をそのまま前記無線回路に伝送し、前記第１のアンテナで受信した信号を対をなすランドを介して前記無線回路に伝送し、前記対をなすランドにて前記第１のアンテナで受信した信号の前記無線回路との結合を弱めたことを特徴とする携帯端末または携帯電話である。
【００１６】
本発明は、上記記載において、前記第１のアンテナと前記第２のアンテナは、その延長線が交差するような位置に取付けられ、且つ前記第１のアンテナで受信した信号と、前記第２のアンテナで受信した信号との間の位相を同相に調整する位相調整回路を備えたことを特徴とする携帯端末または携帯電話である。
【００１７】
本発明は、上記記載において、前記第１のアンテナと前記第２のアンテナは、その延長線が交差するような位置に取付けられ、且つ前記第１のアンテナで受信した信号と、前記第２のアンテナで受信した信号とを結合部を介して無線回路に接続し、前記結合部において、前記第２のアンテナで受信した信号をそのまま前記無線回路に伝送し、前記第１のアンテナで受信した信号を対をなすランドを介して前記無線回路に伝送し、前記対をなすランドにて前記第１のアンテナで受信した信号の前記無線回路との結合を弱めたことを特徴とする携帯端末または携帯電話である。
【００１８】
本発明は、上記記載において、前記第１のアンテナで受信した信号と、前記第２のアンテナで受信した信号との間の位相を位相調整回路で同相に調整し、位相調整した二つの信号を結合部を介して無線回路に接続し、前記結合部において、前記第２のアンテナで受信した信号をそのまま前記無線回路に伝送し、前記第１のアンテナで受信した信号を対をなすランドを介して前記無線回路に伝送し、前記対をなすランドにて前記第１のアンテナで受信した信号の前記無線回路との結合を弱めたことを特徴とする携帯端末または携帯電話である。
【００１９】
本発明は、記載において、前記第１のアンテナと前記第２のアンテナは、その延長線が交差するような位置に取付けられ、且つ前記第１のアンテナで受信した信号と、前記第２のアンテナで受信した信号との間の位相を位相調整回路で同相に調整し、位相調整した二つの信号を結合部を介して無線回路に接続し、前記結合部において、前記第２のアンテナで受信した信号をそのまま前記無線回路に伝送し、前記第１のアンテナで受信した信号を対をなすランドを介して前記無線回路に伝送し、前記対をなすランドにて前記第１のアンテナで受信した信号の前記無線回路との結合を弱めたことを特徴とする携帯端末または携帯電話である。
【００２０】
【発明の実施の形態】
図１は本発明の実施の形態の携帯電話の平面図である。本実施の形態において、携帯電話は折畳型携帯電話であり、レシーバ部１１および液晶表示部１２を有する上ケース１０と、キー操作部２１およびマイク部２２を有する下ケース２０と、上ケース１０と下ケース２０をそれぞれの端部で折畳可能に結合のヒンジ部３０を備え、さらにヒンジ部３０にカメラ部４０を備えている。図１は、上ケース１０を開いた状態で、レシーバ部１１および液晶表示部１２が見えている。この状態で、キー操作部２１を操作することにより、例えば相手の携帯電話と交信することができる。
【００２１】
図２は図１の下ケース２０を構成する前ケース部および後ケース部のうち前ケース部を取外し、後ケース部に取付けた内部を見せる分解斜視図である。前ケース部２０ａは取り外され、後ケース部２０ｂに取付けた回路基板が見えている。
【００２２】
図２において、線状アンテナ５０が、下ケース２０のヒンジ部３０の近傍に取付けられ、図２においては、下ケース２０の後ケース部２０ｂから後ケース部２０ｂの外方に引き出されている。それに対して表面実装型アンテナ６０は、マイク部２２の近傍に取付けられ、図２においては回路基板７０上に実装されている。この回路基板７０上には、電話帯の電波を受信したり送信したりするための種々の回路素子が実装されている。
【００２３】
図３は下ケースの後カバー部２０ｂに取付けた、内部を示す平面図である。線状アンテナ５０は、ホイップアンテナ５１とホイップアンテナの先端に絶縁スペーサ５２を介して結合の、ヘリカルアンテナ５３を内蔵のアンテナトップ部５４を有する。この線状アンテナ５０はヒンジ部３０の近傍で、図示のように図の縦方向に配置されるよう、取付金具５５にて下ケースの後カバー部２０ｂに取付けられている。それに対して表面実装型アンテナ６０はマイク部２２の近傍で、図示のように図の横方向に配置されるよう、回路基板７０に実装されている。したがって線状アンテナ５０と表面実装型アンテナ６０はその延長線が直交するような位置に取付けられている。
【００２４】
図４は本発明の携帯電話の実施の形態の回路構成図である。線状アンテナ５０の出力は位相整合回路７１に接続され、表面実装型アンテナ６０の出力は位相整合回路７２に接続され、位相整合回路７１，７２の出力は結合部７３に接続され、結合部７３の出力は無線回路８０に接続される。無線回路８０にカメラ部４０とキー操作部２１と記憶部９０と液晶表示部１２が接続されている。表面実装型アンテナ６０と位相整合回路７１，７２と結合部７３と無線回路８０と記憶部９０が、図２，図３の回路基板７０に素子として実装されている。
【００２５】
位相整合回路７１，７２は線状アンテナ５０で受信した信号と、表面実装型アンテナ６０で受信した信号との間の位相を同相に調整する回路である。本実施の形態では二つの位相整合回路７１，７２を設けたが、一方の位相整合回路を備えるようにしてもよい。
【００２６】
結合部７３は表面実装型アンテナ６０で受信した信号をそのまま無線回路８０に伝送し、線状アンテナ５０で受信した信号を対をなすランド７４を介して無線回路８０に伝送し、対をなすランド７４にて線状アンテナ５０で受信した信号の無線回路８０との結合を弱めている。対をなすランド７４の距離を大きくすればより結合を弱めることができる。
【００２７】
無線回路８０はデユプレクサ８１と受信回路８２とＡ／Ｄ変換回路８３とレシーバ部１１に接続のＤ／Ａ変換回路８４とマイク部２２に接続のＡ／Ｄ変換回路８５とＤ／Ａ変換回路８６と送信回路８７とＣＤＭＡ信号処理および制御回路８８を有する。ＣＤＭＡ信号処理および制御回路８８にカメラ部４０とキー操作部２１と記憶部９０と液晶表示部１２が接続されている。
【００２８】
キー操作部２１により、電話帯の電波を受信するときには、受信信号をデユプレクサ８１から受信回路８２に送り、次段のＡ／Ｄ変換回路８３でデジタル信号に変換し、次段のＣＤＭＡ信号処理および制御回路８８でデジタル処理し、次段のＤ／Ａ変換回路８４でアナログ信号に変換し、レシーバ部１１から出力する。
【００２９】
キー操作部２１により、電話帯の電波を送信するときには、マイク部２２に向かって話した音声信号をＡ／Ｄ変換回路８５でデジタル信号に変換し、次段のＣＤＭＡ信号処理および制御回路８８でデジタル処理し、次段のＤ／Ａ変換回路８６でアナログ信号に変換し、次段の送信回路８７でパワー増幅し、デユプレクサ８１から線状アンテナ５０に送り、送信する。
【００３０】
本発明の実施の形態においては、線状アンテナ５０が、下ケース２０のヒンジ部３０の近傍に取付けられ、それに対して表面実装型アンテナ６０は、マイク部２２の近傍に取付けられているので、人の手などで覆われてしまうアンテナは一方のアンテナのみなので、アンテナ特性の劣化を軽減することができる。
【００３１】
また、線状アンテナ５０と表面実装型アンテナ６０の両方が下ケース２０の方に配置されているので、上ケース１０を開いても閉じても、両方のアンテナ間の配置は変わらず、したがって上ケース１０を閉じても、アンテナ特性の劣化を軽減することができる。
【００３２】
また、線状アンテナ５０と表面実装型アンテナ６０はその延長線が直交するような位置に取付けられているので、両方のアンテナの間に発生する相互インダクタンスを軽減するので、アンテナ同士の干渉を軽減することができる。
【００３３】
また、線状アンテナ５０と表面実装型アンテナ６０はその延長線が直交するような位置に取付けられておらず、線状アンテナ５０と表面実装型アンテナ６０の一方が他方に対して傾いて配置され、線状アンテナ５０と表面実装型アンテナ６０の両方の延長線が交差するような位置に取付けられていても、同等に、アンテナ同士の干渉を軽減することができる。
【００３４】
また、線状アンテナ５０で受信した信号と、表面実装型アンテナ６０で受信した信号との間の位相を同相に調整する位相調整回路を備えているので、アンテナ同士の干渉を軽減することができる。
【００３５】
また、線状アンテナ５０で受信した信号と、表面実装型アンテナ６０で受信した信号とを結合部７３を介して無線回路８０に接続し、結合部７３において、表面実装型アンテナ６０で受信した信号をそのまま無線回路８０に伝送し、線状アンテナ５０で受信した信号を対をなすランド７４を介して無線回路８０に伝送し、対をなすランド７４にて線状アンテナ５０で受信した信号の無線回路８０との結合を弱めているので、アンテナ同士の干渉を軽減することができる。
【００３６】
また、アンテナ同士の干渉を軽減する方法として、上記の三種類の構成を、本実施の形態では同時に実施しているが、三種類の構成を必要としない場合は、一種類または二種類の構成を実施すればよい。
【００３７】
また、本実施の形態は折畳型携帯電話であるが、折畳型ではない、いわゆる外形がストレート型の携帯電話であってもよく、その場合は、線状アンテナ５０は、ケース外形の二つの短かい端面の内一つの端面側に、表面実装型アンテナ６０は、二つの短かい端面の内他の端面側に配置されるよう、ケースの内蔵に取付けられる。図１をストレート型の携帯電話と仮定すれば、レシーバ部１１に近いケースの内側に線状アンテナが取付けられ、マイク部２２に近いケースの内側に表面実装型アンテナ６０が取付けられる。
【００３８】
また、本実施の形態は、携帯電話に限らず、ＰＤＡ等を含む携帯端末に適用することができる。
【００３９】
【発明の効果】
本発明によれば、アンテナ特性の劣化を軽減する携帯端末および携帯電話を得ることができる。
【図面の簡単な説明】
【図１】本発明の実施の形態の携帯電話の平面図である。
【図２】図１の下ケースを構成する前カバー部および後カバー部のうち前カバー部を取外し、後カバー部に取付けた内部を見せる分解斜視図である。
【図３】下ケースの後カバー部に取付けた、内部を示す平面図である。
【図４】本発明の携帯電話の実施の形態の回路構成図である。
【符号の説明】
１０…上ケース、１１…レシーバ部、１２…液晶表示部、２０…下ケース、２０ａ…前ケース部、２０ｂ…後ケース部、２１…キー操作部、２２…マイク部、３０…ヒンジ部、４０…カメラ部、５０…線状アンテナ、５１…ホイップアンテナ、５２…絶縁スペーサ、５３…ヘリカルアンテナ、５４…アンテナトップ部、５５…取付金具、６０…面実装型アンテナ、７０…回路基板、７１，７２…位相整合回路、７３…結合部、７４…対をなすランド、８０…無線回路、９０…記憶部。
【図１】
2004120052.tif 000003
【図２】
2004120052.tif 000004
【図３】
2004120052.tif 000005
【図４】
2004120052.tif 000006